(57)【要約】【課題】内燃機関に改質された燃料を安定して供給することができる排気ガス再循環装置を提供すること。【解決手段】排気ガス再循環装置６は、内燃機関１−１の排気経路４と吸気経路３とを接続する再循環配管６１と、再循環配管６１に流入した排気ガスに、改質用燃料を噴射する改質用インジェクタ６２と、排気ガスと改質用燃料との混合ガスを改質する改質器６４と、改質用インジェクタ６２に供給される改質用燃料の燃圧を調整する改質用燃圧調整装置６５と、改質用燃料噴射量Ｑを算出する改質用燃料噴射量算出手段および改質用インジェクタ６２を制御する改質用インジェクタ制御手段であるＥＣＵ７と、を備える。改質用燃圧調整装置６５は、改質用燃料の燃圧を算出された改質用燃料噴射量Ｑに基づいて、改質用インジェクタ６２の噴射時間を最大噴射時間とする燃圧Ｐに調整する。ＥＣＵ７は、最大噴射時間に基づいて、改質用インジェクタ６２を制御する。【選択図】        図１
2009121411.tif 000002
【特許請求の範囲】
【請求項１】
内燃機関の排気経路と吸気経路とを接続する再循環配管と、
前記排気経路から前記再循環配管に流入した排気ガスに、改質用燃料を噴射する改質用インジェクタと、
前記排気ガスと前記改質用燃料との混合ガスを改質する改質器と、
前記改質用インジェクタに供給される前記改質用燃料の燃圧を調整する改質用燃圧調整手段と、
前記排気ガスに噴射する前記改質用燃料の改質用燃料噴射量を算出する改質用燃料噴射量算出手段と、
前記改質用インジェクタを制御する改質用インジェクタ制御手段と、
を備え、
前記改質用燃圧調整手段は、前記改質用燃料の燃圧を前記算出された改質用燃料噴射量に基づいて、前記改質用インジェクタの噴射時間を最大噴射時間とする燃圧に調整し、
前記改質用インジェクタ制御手段は、前記最大噴射時間に基づいて、前記改質用インジェクタを制御することを特徴とする排気ガス再循環装置。
【請求項２】
前記改質用インジェクタを複数備える場合、前記改質用インジェクタ制御手段は、前記各改質用インジェクタの噴射周期の位相差を設定し、前記設定された位相差に基づいて当該各改質用インジェクタを制御することを特徴とする請求項１に記載の排気ガス再循環装置。
【請求項３】
前記各改質用インジェクタの前記改質器までの距離が異なる場合、当該各改質用インジェクタの間隔に基づいて前記位相差を設定することを特徴とする請求項２に記載の排気ガス再循環装置。
【請求項４】
前記改質用燃料は、前記内燃機関に供給されるアルコールを含む混合燃料であることを特徴とする請求項１〜３のいずれか１項に記載の排気ガス再循環装置。
【発明の詳細な説明】
【技術分野】
【０００１】
本発明は、排気ガス循環装置に関し、更に詳しくは、排気ガスに改質用燃料を供給し、排気ガスと改質用燃料との混合ガスを改質し、改質された改質ガスを吸気経路に戻す排気ガス循環装置に関する。
【背景技術】
【０００２】
内燃機関には、エミッション悪化の抑制などを目的として、内燃機関から排気経路に排気された排気ガスを吸気経路に戻し、排気ガスを再循環させる排気ガス再循環装置を備えるものがある。また、内燃機関には、特許文献１〜３に示すように、改質用燃料、例えば内燃機関に供給される燃料の一部を触媒を備える改質器により改質し、吸気経路を介して改質された燃料を内燃機関に供給するものがある。さらに、これらを組み合わせた内燃機関、すなわち吸気経路に戻される排気ガスに改質用燃料を供給し、排気ガスと改質用燃料との混合ガスを改質し、改質された改質ガスを吸気経路に戻す排気ガス循環装置を備えるものがある。
【０００３】
【特許文献１】特公平３−４３４５８号公報
【特許文献２】特開昭６２−２２８６３５号公報
【特許文献３】特開２００２−３８９８１号公報
【発明の開示】
【発明が解決しようとする課題】
【０００４】
ここで、排気ガスに改質用燃料を供給する際には、一般的に改質用インジェクタが用いられる。改質用インジェクタは、内燃機関のポート噴射などに用いられるものと同様であり、所定間隔で噴射、停止を繰り返すものである。また、改質用インジェクタは、焼き付き防止などから連続して改質用燃料を排気ガスに噴射することができない。
【０００５】
つまり、改質用燃料は、連続的に流れる排気ガスに対して、所定間隔で断続的に供給されるため、時間に応じて排気ガスに含まれる改質用燃料の濃度が変化する。従って、排気ガスと改質用燃料の混合ガスを改質器により改質することで改質ガスとしても、時間に応じて改質ガスに含まれる改質された燃料（例えば水素など）の量が一定ではないので、改質された燃料の濃度が均一な改質ガスが生成できない。これにより、吸気経路を介して内燃機関に改質ガスが供給されるが、改質された燃料は、時間に応じて量が変化して内燃機関に供給される虞がある。従って、内燃機関に改質された燃料が安定して供給されないので、ドライバビリティの悪化やエミッションの悪化を抑制できないという問題がある。
【０００６】
本発明は、上記に鑑みてなされたものであって、内燃機関に改質された燃料を安定して供給することができる排気ガス再循環装置を提供することを目的とする。
【課題を解決するための手段】
【０００７】
上述した課題を解決し、目的を達成するために、本発明では、内燃機関の排気経路と吸気経路とを接続する再循環配管と、前記排気経路から前記再循環配管に流入した排気ガスに、改質用燃料を噴射する改質用インジェクタと、前記排気ガスと前記改質用燃料との混合ガスを改質する改質器と、前記改質用インジェクタに供給される前記改質用燃料の燃圧を調整する改質用燃圧調整手段と、前記排気ガスに噴射する前記改質用燃料の改質用燃料噴射量を算出する改質用燃料噴射量算出手段と、前記改質用インジェクタを制御する改質用インジェクタ制御手段と、を備え、前記改質用燃圧調整手段は、前記改質用燃料の燃圧を前記算出された改質用燃料噴射量に基づいて、前記改質用インジェクタの噴射時間を最大噴射時間とする燃圧に調整し、前記改質用インジェクタ制御手段は、前記最大噴射時間に基づいて、前記改質用インジェクタを制御することを特徴とする。
【０００８】
本発明によれば、改質用インジェクタは、算出された改質用燃料噴射量を最大噴射時間で排気ガスに噴射することができる。従って、改質用インジェクタが改質用燃料を噴射しない期間を最小限とすることができるので、時間に応じて排気ガスに含まれる改質用燃料の濃度の変化を抑制することができる。これにより、内燃機関に改質された燃料を安定して供給することができ、ドライバビリティの悪化やエミッションの悪化を抑制することができる。
【０００９】
また、上記排気ガス再循環装置において、前記改質用インジェクタを複数備える場合、前記改質用インジェクタ制御手段は、前記各改質用インジェクタの噴射周期の位相差を設定し、前記設定された位相差に基づいて当該各改質用インジェクタを制御することが好ましい。
【００１０】
本発明によれば、各改質用インジェクタが異なるタイミングで改質用燃料を噴射することとなるので、いずれかの改質用インジェクタが改質用燃料を噴射していない期間に、他の改質用インジェクタが改質用燃料を噴射することができる。従って、時間に応じて排気ガスに含まれる改質用燃料の濃度の変化をさらに抑制することができる。これにより、内燃機関に改質された燃料をさらに安定して供給することができ、ドライバビリティの悪化やエミッションの悪化をさらに抑制することができる。
【００１１】
また、上記排気ガス再循環装置において、前記各改質用インジェクタの前記改質器までの距離が異なる場合、当該各改質用インジェクタの間隔に基づいて前記位相差を設定することが好ましい。
【００１２】
本発明によれば、改質器までの距離が異なる場合は、改質器に対して上流側の改質用インジェクタが噴射した改質用燃料が下流側の改質用インジェクタ近傍に到達するまでに時間を要するので、各改質用インジェクタの間隔に基づいて位相差を設定することで、各改質用インジェクタの間隔による排気ガスに含まれる改質用燃料の濃度の変化を抑制することができる。これにより、内燃機関に改質された燃料をさらに安定して供給することができ、ドライバビリティの悪化やエミッションの悪化をさらに抑制することができる。
【００１３】
また、上記排気ガス再循環装置において、前記改質用燃料は、前記内燃機関に供給されるアルコールを含む混合燃料であることが好ましい。
【発明の効果】
【００１４】
本発明にかかる排気ガス再循環装置は、内燃機関に改質された燃料を安定して供給することができ、ドライバビリティの悪化やエミッションの悪化を抑制することができるという効果を奏する。
【発明を実施するための最良の形態】
【００１５】
以下、本発明につき図面を参照しつつ詳細に説明する。なお、下記の実施の形態により本発明が限定されるものではない。また、下記の実施の形態における構成要素には、当業者が容易に想定できるもの或いは実質的に同一のものが含まれる。また、下記の実施の形態では、本発明にかかる排気ガス再循環装置をアルコールを含むアルコール混合燃料により内燃機関を運転するＦＦＶ（フレキシブル・フューエル・ビーグル）に用いる場合について説明するが、本発明はこれに限定されるものではなく、単一の燃料により運転される内燃機関に用いても良い。
【００１６】
〔実施の形態１〕
図１は、実施の形態１にかかる排気ガス再循環装置を備える内燃機関の構成例を示す図である。同図に示すように、実施の形態１にかかる排気ガス再循環装置を備える１−１は、複数の気筒（実施の形態１では、直列４気筒）により構成される内燃機関本体２と、吸気経路３と、排気経路４と、燃料供給装置５と、排気ガス再循環装置６と、ＥＣＵ７とにより構成されている。
【００１７】
内燃機関本体２は、吸気経路３を介して供給される空気（ＡＩＲ）と燃料供給装置５から供給されたアルコール混合燃料との混合ガスのみ、あるいは混合ガスおよび排気ガス再循環装置６から吸気経路３を介して内燃機関本体２に供給された改質ガスを燃焼することで駆動力を発生するものである。内燃機関本体２には、図示は省略するが気筒ごとに点火プラグが設けられている。各点火プラグは、ＥＣＵ７により点火制御が行われる。
【００１８】
吸気経路３は、内燃機関１−１外部の大気を内燃機関本体２が発生する負圧により内燃機関本体２に供給するものである。吸気経路３は、図示しないエアフィルタと、ＥＣＵ７により制御されるスロットルバルブ３１と、吸気配管３２と、インテークマニホールド３３とにより構成されている。エアフィルタにより粉塵が除去された内燃機関１−１の外部の空気（ＡＩＲ）は、ＥＣＵ７によりバルブ開度が制御されるスロットルバルブ３１により流量が調整され、吸気配管３２およびインテークマニホールド３３を介して内燃機関本体２の図示しない各気筒に供給される。なお、３４は、内燃機関１−１の吸入空気量を検出するエアフロメータである。エアフロメータ３４により検出された吸入空気量は、ＥＣＵ７に出力される。
【００１９】
排気経路４は、内燃機関本体２から排気された排気ガス（ＥＧ）を浄化し、大気に排出するものである。排気経路４は、エキゾーストマニホールド４１と、排気配管４２と、排気ガスを浄化する浄化触媒４３と、図示しない消音装置とにより構成されている。内燃機関本体２から排気された排気ガスは、エキゾーストマニホールド４１および排気配管４２を介して、浄化触媒４３に導入される。浄化触媒４３により浄化された排気ガスは、排気ガス再循環装置６の後述する改質器６４および蒸発器６３および消音装置を介して大気に排気される。
【００２０】
燃料供給装置５は、内燃機関本体２にアルコール混合燃料を供給するものである。燃料供給装置５は、燃料タンク５１、燃料ポンプ５２、気筒用燃圧調整装置５３と、内燃機関本体２の図示しない気筒にそれぞれ対応した複数の気筒用インジェクタ５４と、燃料配管５５と、デリバリパイプ５６とにより構成されている。燃料供給装置５は、ＥＣＵ７により算出された気筒用燃料噴射量に基づいて各気筒用インジェクタ５４によりアルコール混合燃料を噴射する。具体的には、燃料タンク５１に貯留されているアルコール混合燃料は、内燃機関の駆動力あるいは他の駆動源からの駆動力により作動する燃料ポンプ５２に吸引され、加圧され、燃料配管５５に吐出される。燃料配管５５の加圧されたアルコール混合燃料は、ＥＣＵ７により制御される例えば圧力調整弁などの気筒用燃圧調整装置５３により、現在の内燃機関１−１の運転状態に適した燃圧に調整され、デリバリパイプ５６に供給される。デリバリパイプ５６の燃圧が調整されたアルコール混合燃料は、ＥＣＵ７により制御される各気筒用インジェクタ５４により、各気筒の燃料室と連通する吸気ポートに噴射される。これにより、内燃機関１−１にアルコール混合燃料を供給する。なお、５７は、アルコール混合燃料のアルコール濃度を検出するアルコール濃度センサである。アルコール濃度センサ５７により検出されたアルコール混合燃料のアルコール濃度は、ＥＣＵ７に出力される。また、各気筒用インジェクタは、図示しない各気筒の吸気ポートにアルコール混合燃料を噴射するが本発明はこれに限定されるものではなく、各気筒の燃焼室にそれぞれアルコール混合燃料を直接噴射するようにしても良い。また、各気筒の吸気ポートおよび燃焼室にそれぞれアルコール混合燃料を噴射するようにしても良い。
【００２１】
排気ガス再循環装置６は、排気ガスに改質用燃料を供給し、排気ガスと改質用燃料との混合ガスを改質し、吸気経路３を介して、改質された改質ガスを内燃機関本体２に供給するものである。排気ガス再循環装置６は、再循環配管６１と、改質用インジェクタ６２と、蒸発器６３と、改質器６４と、改質用燃圧調整装置６５と、改質ガス流量調整弁６６とにより構成されている。なお、６７は、燃料供給装置５から改質用燃料としてアルコール混合燃料を改質用インジェクタ６２に供給する燃料分岐配管である。
【００２２】
再循環配管６１は、内燃機関１−１の排気経路４と吸気経路３とを接続するものである。つまり、再循環配管６１は、排気経路４の排気ガス、実施の形態１では、浄化触媒４３により浄化された排気ガスを吸気経路に戻すものである。
【００２３】
改質用インジェクタ６２は、排気経路４から再循環配管６１に流入した排気ガスに改質用燃料を噴射するものである。実施の形態１では、改質用インジェクタ６２は、１つであり、再循環配管６１の途中に設けられた混合室６８内に流入した排気ガスに改質用燃料であるアルコール混合燃料を噴射するものである。改質用インジェクタ６２は、燃料分岐配管６７を介して燃料配管５５と接続されている。従って、改質用インジェクタ６２には、燃料配管５５の燃料ポンプ５２により加圧されたアルコール混合燃料が供給される。改質用インジェクタ６２は、ＥＣＵ７と接続されており、改質用インジェクタ６２の噴射タイミングや噴射時間などの噴射制御は、ＥＣＵ７により行われる。つまり、ＥＣＵ７は、改質用インジェクタ６２の噴射制御を行う。改質用インジェクタ６２から噴射された改質用燃料は、混合室６８で排気ガスと混合され混合ガス（ＭＧ）となり、再循環配管６１を介して蒸発器６３に流入する。
【００２４】
蒸発器６３は、改質用インジェクタ６２により排気ガスに噴射された改質用燃料を気化するものである。蒸発器６３は、混合室６８と吸気経路３との間における再循環配管６１の途中に設けられている。蒸発器６３は、熱交換器であり、排気経路４の排気配管４２の排気ガスが再循環配管６１の混合ガスと非接触状態で熱交換を行うものである。排気配管４２の排気ガスは、下流である再循環配管６１の混合ガスに含まれる排気ガスよりも高温である。また、混合ガスは、排気ガスと比較して温度の低い改質用燃料を含むものである。従って、蒸発器６３は、排気配管４２の排気ガスの熱により、再循環配管６１の混合ガスを加熱し、混合ガスに含まれる改質用燃料の気化を促進する。改質用燃料の気化が促進された混合ガスは、再循環配管６１を介して改質器６４に流入する。
【００２５】
改質器６４は、排気ガスと改質用燃料との混合ガスを改質して改質ガスとするものである。改質器６４は、蒸発器６３と吸気経路３との間における再循環配管６１の途中に設けられている。改質器６４内には、再循環配管６１が配置されており、途中に改質触媒６４ａが設けられている。改質触媒６４ａは、Ｃｏ，Ｎｉ，Ｒｈなどが用いられ、再循環配管６１の混合ガスが通過することで、混合ガスに含まれている改質用燃料であるアルコール混合燃料を改質し、水素を生成し、混合ガスを水素が含まれる改質ガス（ＲＧ）にするものである。改質器６４内には、排気経路４の排気配管４２の排気ガスが改質触媒６４ａおよび再循環配管６１の混合ガスと非接触状態で導入されている。これにより、改質触媒６４ａが排気ガスの熱により加熱され、活性化し、混合ガスに含まれている改質用燃料を効率的に改質する。改質ガスは、再循環配管６１を介して吸気経路３に流入し、内燃機関本体２に供給される。
【００２６】
改質用燃圧調整装置６５は、改質用インジェクタ６２に供給される改質用燃料の燃圧を調整するものである。改質用燃圧調整装置６５は、例えば圧力調整弁などであり、燃料分岐配管６７の途中に設けられている。改質用燃圧調整装置６５は、ＥＣＵ７と接続されており、改質用燃圧調整装置６５により改質用燃料の燃圧を調整する燃圧制御は、ＥＣＵ７により行われる。
【００２７】
改質ガス流量調整弁６６は、排気ガス再循環装置６からの改質ガスを吸気経路３を介して内燃機関本体２に供給する際の供給量を調整するものである。改質ガス流量調整弁６６は、ＥＣＵ７と接続されており、改質ガス流量調整弁６６により改質ガスの内燃機関本体２への供給量の調整する供給量制御は、ＥＣＵ７により現在の内燃機関１−１の運転状態に基づいて行われる。
【００２８】
ＥＣＵ７は、内燃機関１−１を運転制御するものである。また、ＥＣＵ７は、内燃機関１−１の運転情報に基づいて排気ガスに噴射する改質用燃料の改質用燃料噴射量Ｑを算出する改質用燃料噴射量算出手段として機能する。また、ＥＣＵ７は、改質用インジェクタ６２を制御する、すなわち改質用インジェクタ６２の噴射制御を行う改質用インジェクタ制御手段としての機能も有する。つまり、ＥＣＵ７は、排気ガス再循環装置６の一部を構成するものである。ＥＣＵ７は、内燃機関１−１が搭載された車両の各所に取り付けられたセンサから、各種入力信号が運転情報として入力される。具体的に内燃機関１−１の運転情報としては、図示しないクランクシャフトに取り付けられたクランク角度センサにより検出されたクランク角度に基づく機関回転数、エアフロメータ３４により検出された吸入空気量、図示しないアクセルペダルセンサにより検出されたアクセル開度に基づく内燃機関１−１の負荷、排気経路４に設けられた図示しないＡ／Ｆセンサにより検出された空燃比、アルコール濃度センサ５７により検出されたアルコール混合燃料などがある。
【００２９】
ＥＣＵ７は、これら入力信号および図示しない記憶部に格納されている吸入空気量およびアクセル開度に基づいた燃料噴射量マップなどの各種マップに基づいて各種出力信号を出力する。具体的には、気筒用インジェクタ５４の噴射制御を行う気筒用噴射信号、図示しない点火プラグの点火制御を行う点火信号、スロットルバルブ３１のスロットルバルブ開度制御を行うスロットルバルブ開度信号、気筒用燃圧調整装置５３によりアルコール混合燃料の燃圧制御を行う気筒用燃圧制御信号、改質用インジェクタ６２の噴射制御を行う改質用噴射信号、改質用燃圧調整装置６５により改質用燃料の燃圧制御を行う改質用燃圧制御信号、改質ガス流量調整弁６６による改質ガスの内燃機関本体２への供給量制御を行う供給量制御信号などの出力信号などがある。ＥＣＵ７は、メモリおよびＣＰＵ（Central Processing Unit）により構成されており、内燃機関１−１の運転方法などに基づくプログラムをメモリにロードして実行することにより、内燃機関１−１の運転などを実現させるものでる。
【００３０】
次に、排気ガス再循環装置６の動作について説明する。図２には、排気ガス再循環装置６の動作フローを示す図である。図３は、改質用燃料噴射量と改質用燃料の噴射時間との関係を示す図である。図３においては、縦軸が改質用インジェクタ６２の燃圧Ｐに応じた単位時間当たりの噴射量ｑで、横軸が時間である。
【００３１】
まず、図２に示すように、ＥＣＵ７は、内燃機関１−１の運転情報を取得する（ステップＳＴ１）。ここでは、ＥＣＵ７は、例えば上述の機関回転数や負荷などを取得する。
【００３２】
次に、ＥＣＵ７は、改質ガスが必要か否かを判断する（ステップＳＴ２）。ここでは、ＥＣＵ７は、上記取得された内燃機関１−１の運転情報に基づいて、吸気経路３を介して改質ガスを内燃機関本体２へ供給するか否かを判断する。なお、ＥＣＵ７は、改質ガスが必要となるまで、上記ステップＳＴ１およびステップＳＴ２を繰り返す。
【００３３】
次に、ＥＣＵ７は、改質ガスが必要と判断する（ステップＳＴ２肯定）と、改質用燃料噴射量Ｑを算出する（ステップＳＴ３）。ここでは、内燃機関１−１の運転情報に基づいて改質用インジェクタから噴射する改質用燃料噴射量Ｑを算出する。
【００３４】
次に、ＥＣＵ７は、改質用燃料の燃圧Ｐを算出する（ステップＳＴ４）。改質用燃料噴射量Ｑは、改質用インジェクタ６２の単位時間当たりの噴射量ｑに噴射時間を乗算したものである。また、改質用インジェクタ６２の単位時間当たりの噴射量ｑは、改質用インジェクタ６２の固有値と燃圧Ｐとで設定されるものである。つまり、噴射時間と燃圧Ｐとは、改質用インジェクタ６２に改質用燃料噴射量Ｑの改質燃料を排気ガスに噴射させるためにいずれか一方を設定することで他方を算出することができる。ここでは、ＥＣＵ７は、改質用インジェクタ６２の噴射時間を最大噴射時間Ｔｍａｘとした際に、改質用燃料噴射量Ｑを噴射することができる燃圧Ｐを算出する。なお、最大噴射時間Ｔｍａｘとは、図３に示すように、改質用インジェクタ６２の噴射周期Ｙで、改質用インジェクタ６２が噴射できない期間を最小限である最小期間Ｌとした際に、噴射周期Ｙから最小期間Ｌを引いた値、すなわち最大限連続して噴射可能な期間をいう（Ｔｍａｘ＝Ｙ−Ｌ）。
【００３５】
次に、ＥＣＵ７は、図２に示すように、算出された改質用燃料の燃圧Ｐに基づいて改質用燃圧調整装置６５により燃圧制御を実行する（ステップＳＴ５）。ここでは、ＥＣＵ７は、改質用燃圧制御信号を改質用燃圧調整装置６５に出力し、改質用インジェクタ６２に供給される改質用燃料の燃圧が改質用燃圧調整装置６５により燃圧Ｐに調整される。
【００３６】
次に、ＥＣＵ７は、最大噴射時間Ｔｍａｘで改質用インジェクタ６２の噴射制御を行う（ステップＳＴ６）。ここでは、ＥＣＵ７は、改質用噴射信号を改質用インジェクタ６２に出力し、改質用インジェクタ６２を最大噴射時間Ｔｍａｘで改質用燃料を排気ガスに噴射するように制御する。これにより、改質用インジェクタ６２は、燃圧Ｐの改質用燃料を最大噴射時間Ｔｍａｘだけ排気ガスに噴射することで、噴射周期Ｙ内に、算出された改質用燃料噴射量Ｑの改質用燃料を排気ガスに噴射することができる。
【００３７】
以上のように、実施の形態２にかかる内燃機関１−１の排気ガス再循環装置６では、改質用インジェクタ６２は、図３に示すように、算出された改質用燃料噴射量Ｑを最大噴射時間で排気ガスに噴射することができる。従って、改質用インジェクタ６２が改質用燃料を噴射しない期間を最小限である最小期間Ｌとすることができるので、燃料ポンプ６２により加圧された改質用燃料に基づいて改質用インジェクタ６２の噴射時間を設定した際における改質用インジェクタ６２が改質用燃料を噴射しない期間ＬＡと比較して、改質用インジェクタ６２が改質用燃料を噴射しない期間を短くすることができる。これにより、時間に応じて排気ガスに含まれる改質用燃料の濃度の変化を抑制することができ、内燃機関本体２に改質された燃料を安定して供給することができ、ドライバビリティの悪化やエミッションの悪化を抑制することができる。
【００３８】
〔実施の形態２〕
次に、実施の形態２にかかる内燃機関１−２について説明する。図４は、実施の形態２にかかる排気ガス再循環装置を備える内燃機関の構成例を示す図である。図５は、改質用燃料噴射量と改質用燃料の噴射時間との関係を示す図である。図４に示す実施の形態２にかかる内燃機関１−２が図１に示す実施の形態１にかかる内燃機関１−１と異なる点は、２つの改質用インジェクタ６２，６９により排気ガスに改質用燃料が噴射される点である。ここで、実施の形態２にかかる内燃機関１−２の基本的構成は、実施の形態１にかかる内燃機関１−１の基本的構成とほぼ同一であるため、同一箇所の説明は省略あるいは簡略化する。また、実施の形態２にかかる内燃機関１−２の動作は、図３に示す実施の形態１にかかる内燃機関１−１の動作と同一あるいはほぼ同一であるので、説明は省略する。実施の形態２にかかる内燃機関１−２の排気ガス再循環装置６は、図４に示すように、再循環配管６１と、２つの改質用インジェクタ６２，６９と、蒸発器６３と、改質器６４と、改質用燃圧調整装置６５と、改質ガス流量調整弁６６とにより構成されている。
【００３９】
ここで、アルコール混合燃料を用いた排気ガス再循環装置６を備える内燃機関１−１，１−２や、過給機を備える内燃機関では、要求される改質ガスが増加し、改質用燃料噴射量Ｑが増加する。ここで、改質用インジェクタには、噴射することができる最小噴射量と最大噴射量と差であるダイナミックレンジが予め設定されているため、１つの改質用インジェクタでは、増加した改質用燃料噴射量Ｑを噴射することができない虞がある。従って、複数の改質用インジェクタにより排気ガスに改質用燃料を噴射することで、増加した改質用燃料噴射量Ｑを噴射することが好ましい。
【００４０】
改質用インジェクタ６９は、排気経路４から再循環配管６１に流入した排気ガスに改質用燃料を噴射するものである。改質用インジェクタ６９は、改質用インジェクタ６２と同様に、再循環配管６１の途中に設けられた混合室６８内に流入した排気ガスに改質用燃料であるアルコール混合燃料を噴射するものである。改質用インジェクタ６９は、燃料分岐配管６７を介して燃料配管５５と接続されている。従って、改質用インジェクタ６９には、燃料配管５５の燃料ポンプ５２により加圧されたアルコール混合燃料が供給される。改質用インジェクタ６９は、ＥＣＵ７と接続されており、改質用インジェクタ６２と同様に、噴射タイミングや噴射時間などの噴射制御がＥＣＵ７により行われる。つまり、ＥＣＵ７は、改質用インジェクタ６９の噴射制御を行う。改質用インジェクタ６９から噴射された改質用燃料は、混合室６８で排気ガスと混合され混合ガス（ＭＧ）となり、再循環配管６１を介して蒸発器６３に流入する。
【００４１】
ここで、２つの改質用インジェクタ６２，６９は、改質器６４までの距離が同一となるように設定されている。実施の形態２では、混合室６８に互いが対向するように配置されている。つまり、２つの改質用インジェクタ６２，６９から同時に噴射された改質用燃料が改質器６４にまで到達する時間は、同一となる。
【００４２】
ＥＣＵ７は、各改質用インジェクタ６２，６９の噴射周期の位相差を設定し、各改質用インジェクタ６２，６９の噴射制御を行う。ＥＣＵ７は、改質用燃圧調整装置６５により、燃圧Ｐ（改質用インジェクタ６２，６９の噴射時間を最大噴射時間Ｔｍａｘとした際に改質用燃料噴射量Ｑを噴射することができる燃圧）に調整された改質用燃料を改質用インジェクタ６２，６９が最大噴射時間Ｔｍａｘで噴射するように噴射制御を行う。また、ＥＣＵ７は、実施の形態２では、図５に示すように、各改質用インジェクタ６２，６９の噴射周期の位相差を改質用インジェクタ６２の噴射周期Ｙ１に対して改質用インジェクタ６９の噴射周期Ｙ２が半周期Ｚずれるように設定する。つまり、ＥＣＵ７は、各改質用インジェクタ６２，６９の噴射周期Ｙ１，Ｙ２の位相差がπとなるように、各改質用インジェクタ６２，６９の噴射制御を行う。
【００４３】
以上のように、実施の形態２にかかる内燃機関１−２の排気ガス再循環装置６では、各改質用インジェクタ６２，６９が異なるタイミングで改質用燃料を噴射することとなる。従って、改質用インジェクタ６２が改質用燃料を噴射していない期間Ｌ１に改質用インジェクタ６９が改質用燃料を噴射し、改質用インジェクタ６９が改質用燃料を噴射していない期間Ｌ２に改質用インジェクタ６２が改質用燃料を噴射することとなり、改質用燃料が各改質用インジェクタ６２，６９により噴射されていない期間をさらに短くすることができる。これにより、時間に応じて排気ガスに含まれる改質用燃料の濃度の変化をさらに抑制することができる。従って、内燃機関本体２に改質された燃料をさらに安定して供給することができ、ドライバビリティの悪化やエミッションの悪化をさらに抑制することができる。
【００４４】
〔実施の形態３〕
次に、実施の形態３にかかる内燃機関１−３について説明する。図６は、実施の形態３にかかる排気ガス再循環装置を備える内燃機関の構成例を示す図である。図７は、改質用燃料噴射量と改質用燃料の噴射時間との関係を示す図である。図６に示す実施の形態３にかかる内燃機関１−３が図４に示す実施の形態２にかかる内燃機関１−２と異なる点は、２つの改質用インジェクタ６２，６９´の改質器６４までの距離が異なる点である。ここで、実施の形態３にかかる内燃機関１−３の基本的構成は、実施の形態２にかかる内燃機関１−２の基本的構成とほぼ同一であるため、同一箇所の説明は省略あるいは簡略化する。また、実施の形態３にかかる内燃機関１−３の動作は、図３に示す実施の形態１にかかる内燃機関１−１の動作と同一あるいはほぼ同一であるので、説明は省略する。実施の形態３にかかる内燃機関１−３の排気ガス再循環装置６は、図６に示すように、再循環配管６１と、２つの改質用インジェクタ６２，６９´と、蒸発器６３と、改質器６４と、改質用燃圧調整装置６５と、改質ガス流量調整弁６６とにより構成されている。
【００４５】
ここで、改質用インジェクタ６２（６９´）から噴射される改質用燃料の温度は、再循環配管６１に流入した排気ガスの温度に対して著しく低いものである。従って、改質用インジェクタ６２（６９´）から噴射される改質用燃料が再循環配管６１に接触すると、排気ガスで温度が上昇していた再循環配管６１が部分的に冷却されることとなり、熱応力が発生する。これにより、改質用インジェクタを複数備える場合、すなわち実施の形態３に示すように２つの改質用インジェクタ６２，６９´を備える場合は、同一箇所に配置すると熱応力がさらに増大するので、改質器６４までの距離が異なるように、各改質用インジェクタ６２，６９´を配置することが好ましい。
【００４６】
従って、２つの改質用インジェクタ６２，６９´は、改質器６４までの距離が異なるように設定されている。実施の形態３では、改質用インジェクタ６２よりも改質用インジェクタ６９´が下流側に配置されている。つまり、改質用インジェクタ６２は、改質用インジェクタ６９´よりも間隔ｘだけ改質器６４に対して遠くに配置されている。従って、２つの改質用インジェクタ６２，６９´の改質器６４までの距離が異なる場合は、改質器６４に対して上流側の改質用インジェクタ６２が噴射した改質用燃料が下流側の改質用インジェクタ６９´近傍に到達するまでに時間を要することなり、各改質用インジェクタ６２，６９´から同時に噴射された改質用燃料が改質器６４にまで到達する時間が異なることとなる。これにより、２つの改質用インジェクタ６２，６９´の改質器６４までの距離が異なる場合は、時間に応じて排気ガスに含まれる改質用燃料の濃度が変化する虞がある。
【００４７】
ＥＣＵ７は、各改質用インジェクタ６２，６９´の噴射周期の位相差を設定し、各改質用インジェクタ６２，６９´の噴射制御を行う。ＥＣＵ７は、改質用燃圧調整装置６５により、燃圧Ｐ（改質用インジェクタ６２，６９´の噴射時間を最大噴射時間Ｔｍａｘとした際に改質用燃料噴射量Ｑを噴射することができる燃圧）に調整された改質用燃料を改質用インジェクタ６２，６９´が最大噴射時間Ｔｍａｘで噴射するように噴射制御を行う。ＥＣＵ７は、実施の形態３では、図７に示すように、各改質用インジェクタ６２，６９´の噴射周期の位相差を改質用インジェクタ６２の噴射周期Ｙ１に対して改質用インジェクタ６９の噴射周期Ｙ２が半周期Ｚ１と各改質用インジェクタ６２，６９´の間隔ｘに基づいた位相遅れＺ２との合計だけずれるように設定する。ここで、位相遅れＺ２は、改質用インジェクタ６２から噴射された改質用燃料が改質用インジェクタ６９´近傍に到達した際における排気ガスに対する改質燃料の濃淡の周期と、改質器６４までの距離が改質用インジェクタ６２と同一の位置に改質用インジェクタ６９´が配置され、この改質用インジェクタ６９´の噴射周期Ｙ２が改質用インジェクタ６２の噴射周期Ｙ１に対して半周期Ｚずれていると改定した場合（同図一点鎖線）に、改質用インジェクタ６９´により排気ガスに改質用燃料を噴射した際における改質燃料の濃淡の周期と同一となるように設定されている。つまり、ＥＣＵ７は、各改質用インジェクタ６２，６９の噴射周期Ｙ１，Ｙ２の位相差がπ＋α（αは、各改質用インジェクタ６２，６９´の間隔ｘに基づいた位相差）となるように、各改質用インジェクタ６２，６９の噴射制御を行う。
【００４８】
以上のように、実施の形態３にかかる内燃機関１−３の排気ガス再循環装置６では、各改質用インジェクタ６２，６９´の間隔ｘに基づいて位相差を設定することで、各改質用インジェクタ６２，６９´の間隔による排気ガスに含まれる改質用燃料の濃度の変化を抑制することができる。これにより、時間に応じて排気ガスに含まれる改質用燃料の濃度の変化をさらに抑制することができる。これにより、内燃機関本体２に改質された燃料をさらに安定して供給することができ、ドライバビリティの悪化やエミッションの悪化をさらに抑制することができる。
【産業上の利用可能性】
【００４９】
以上のように、本発明にかかる排気ガス再循環装置は、排気ガスに改質用燃料を供給し、排気ガスと改質用燃料との混合ガスを改質し、改質された改質ガスを吸気経路に戻す排気ガス循環装置に有用であり、特に、内燃機関に改質された燃料を安定して供給するのに適している。
【図面の簡単な説明】
【００５０】
【図１】実施の形態１にかかる排気ガス再循環装置を備える内燃機関の構成例を示す図である。
【図２】排気ガス再循環装置６の動作フローを示す図である。
【図３】改質用燃料噴射量と改質用燃料の噴射時間との関係を示す図である。
【図４】実施の形態２にかかる排気ガス再循環装置を備える内燃機関の構成例を示す図である。
【図５】改質用燃料噴射量と改質用燃料の噴射時間との関係を示す図である。
【図６】実施の形態３にかかる排気ガス再循環装置を備える内燃機関の構成例を示す図である。
【図７】改質用燃料噴射量と改質用燃料の噴射時間との関係を示す図である。
【符号の説明】
【００５１】
１−１〜１−３  内燃機関
２  内燃機関本体
３  吸気経路
３１  スロットルバルブ
３２  吸気配管
３３  インテークマニホールド
３４  エアフロメータ
４  排気経路
４１  エキゾーストマニホールド
４２  排気配管
４３  浄化触媒
５  燃料供給装置
５１  燃料タンク
５２  燃料ポンプ
５３  気筒用燃圧調整装置
５４  気筒用インジェクタ
５５  燃料配管
５６  デリバリパイプ
５７  アルコール濃度センサ
６  排気ガス再循環装置
６１  再循環配管
６２  改質用インジェクタ
６３  蒸発器
６４  改質器
６４ａ  改質触媒
６５  改質用燃圧調整装置（改質用燃圧調整手段）
６６  改質ガス流量調整弁
６７  燃料分岐配管
６８  混合室
６９  改質用インジェクタ
７  ＥＣＵ（改質用燃料噴射量算出手段、改質用インジェクタ制御手段）
【図１】
2009121411.tif 000003
【図２】
2009121411.tif 000004
【図３】
2009121411.tif 000005
【図４】
2009121411.tif 000006
【図５】
2009121411.tif 000007
【図６】
2009121411.tif 000008
【図７】
2009121411.tif 000009